(57)【要約】【課題】印刷装置及び消耗品において、消耗品の認証制御を簡略化する。【解決手段】印刷装置１は、消耗品の一例であるインクカートリッジ１００が着脱可能に装着される印刷装置１であって、インクカートリッジ１００が有する記憶手段の一例である非接触ＩＣ１２０（メモリ１２１）の情報を読み書きする無線通信部３１と、この無線通信部３１によって非接触ＩＣ１２０から読み出されたインクカートリッジ１００の属性情報に基づきインクカートリッジ１００が印刷装置１に適合するかの認証を行う認証部１１と、ユーザによる印刷装置１の設定値の入力を受け付ける入力部６０とを備える。認証部１１によってインクカートリッジ１００が印刷装置１に適合しないと認証された場合に、無線通信部３１は、非接触ＩＣ１２０が記憶する属性情報の少なくとも一部を削除し、入力部６０は、ユーザによる印刷装置１の設定値の入力を受け付ける。【選択図】図３
2020179539.tif 000002
【特許請求の範囲】
【請求項１】
消耗品が着脱可能に装着される印刷装置であって、
前記消耗品が有する記憶手段の情報を読み書きする無線通信部と、
前記無線通信部によって前記記憶手段から読み出された前記消耗品の属性情報に基づき前記消耗品が前記印刷装置に適合するかの認証を行う認証部と、
ユーザによる前記印刷装置の設定値の入力を受け付ける入力部とを備え、
前記無線通信部は、前記認証部によって前記消耗品が前記印刷装置に適合しないと認証された場合に、前記記憶手段が記憶する前記属性情報の少なくとも一部を削除し、
前記入力部は、前記認証部によって前記消耗品が前記印刷装置に適合しないと認証された場合に、ユーザによる前記印刷装置の設定値の入力を受け付ける
ことを特徴とする印刷装置。
【請求項２】
前記認証部は、前記記憶手段の種類の認証を行う
ことを特徴とする請求項１記載の印刷装置。
【請求項３】
印刷装置に着脱可能な消耗品であって、
前記印刷装置は、
前記消耗品が有する記憶手段の情報を読み書きする無線通信部と、
前記無線通信部によって前記記憶手段から読み出された前記消耗品の属性情報に基づき前記消耗品が前記印刷装置に適合するかの認証を行う認証部と、
ユーザによる前記印刷装置の設定値の入力を受け付ける入力部とを備え、
前記無線通信部は、前記認証部によって前記消耗品が前記印刷装置に適合しないと認証された場合に、前記記憶手段が記憶する前記属性情報の少なくとも一部を削除し、
前記入力部は、前記認証部によって前記消耗品が前記印刷装置に適合しないと認証された場合に、ユーザによる前記印刷装置の設定値の入力を受け付け、
前記消耗品は
前記消耗品が前記印刷装置に適合するかの認証を行うための前記消耗品の属性情報を記憶する記憶手段を備え、
前記記憶手段は、前記印刷装置に適合しないと認証された場合に当該記憶手段が記憶する前記属性情報の少なくとも一部を前記印刷装置によって削除され、前記印刷装置によって削除されなかった前記属性情報を記憶する
ことを特徴とする消耗品。
【発明の詳細な説明】
【技術分野】
【０００１】
本発明は、消耗品が着脱可能に装着される印刷装置、及び消耗品に関する。
【背景技術】
【０００２】
印刷装置には、印刷方式に応じて、インクカートリッジ、トナーカートリッジ、感光体ドラム、孔版原紙などの消耗品が装着される。
【０００３】
例えば、インクジェット印刷装置には、消耗品として、色ごとにインクが貯留された複数のインクカートリッジが着脱可能に装着される。インクジェット印刷装置では、インクカートリッジからインクジェットヘッドへインクが供給され、インクジェットヘッドのノズルからインクが印刷用紙に向けて吐出されることにより画像や文字などの印刷が行われる。
【０００４】
従来、消耗品が着脱自在に装着される印刷装置において、消耗品に応じて印刷装置の設定変更を行う手法が提案されている（例えば、特許文献１参照）。
【先行技術文献】
【特許文献】
【０００５】
【特許文献１】特開２００１−１８５０７号公報
【発明の概要】
【発明が解決しようとする課題】
【０００６】
ところで、印刷装置の設定値などの消耗品に記憶された属性情報に基づいて、インク吐出制御などの印刷装置の設定を行うことが可能な印刷装置では、ユーザの手間を要さずに、消耗品に合わせた印刷装置の設定変更を行うことができる。一方、消耗品に属性情報が記憶されていない場合や、属性情報に基づいて消耗品が印刷装置に適合しないと認証された場合には、ユーザが手動で印刷装置の設定変更を行うことが考えられる。
【０００７】
なお、消耗品の記憶情報の読み出し及び認証は、消耗品が印刷装置に装着されたタイミングのみならず、例えば、印刷装置の電源がＯＮになったときや、省電力モードから復帰したときにも行われることがある。
【０００８】
そのため、消耗品が印刷装置に装着されたタイミングで、属性情報に基づいて印刷装置に適合しないと認証された消耗品について、その後も、繰り返し、消耗品に記憶された属性情報に基づき消耗品が印刷装置に適合するかの認証が行われる場合がある。
【０００９】
本発明の目的は、消耗品の認証制御を簡略化することができる印刷装置及び消耗品を提供することである。
【課題を解決するための手段】
【００１０】
１つの態様では、印刷装置は、消耗品が着脱可能に装着される印刷装置であって、前記消耗品が有する記憶手段の情報を読み書きする無線通信部と、前記無線通信部によって前記記憶手段から読み出された前記消耗品の属性情報に基づき前記消耗品が前記印刷装置に適合するかの認証を行う認証部と、ユーザによる前記印刷装置の設定値の入力を受け付ける入力部とを備え、前記無線通信部は、前記認証部によって前記消耗品が前記印刷装置に適合しないと認証された場合に、前記記憶手段が記憶する前記属性情報の少なくとも一部を削除し、前記入力部は、前記認証部によって前記消耗品が前記印刷装置に適合しないと認証された場合に、ユーザによる前記印刷装置の設定値の入力を受け付ける。
【発明の効果】
【００１１】
前記態様によれば、消耗品の認証制御を簡略化することができる。
【図面の簡単な説明】
【００１２】
【図１】一実施の形態における、印刷装置及びインクカートリッジを説明するための説明図である。
【図２】一実施の形態におけるインクカートリッジを示す斜視図である。
【図３】一実施の形態における認証処理を説明するためのフローチャートである。
【発明を実施するための形態】
【００１３】
以下、本発明の実施の形態に係る印刷装置について、図面を参照しながら説明する。
本実施の形態では、Ｋ（ブラック）、Ｃ（シアン）、Ｍ（マゼンタ）、Ｙ（イエロー）のインクに対応するインクカートリッジ１００Ｋ，１００Ｃ，１００Ｍ，１００Ｙは、印刷装置１に着脱自在に装着される消耗品の一例である。なお、インクカートリッジ１００Ｋ、１００Ｃ，１００Ｍ，１００Ｙのそれぞれは、収容するインクの色を除いて同一の構成を有する。そのため、インクカートリッジ１００Ｋを例に説明する。また、インクカートリッジ１００Ｋ，１００Ｃ，１００Ｍ，１００Ｙは、適宜、インクカートリッジ１００と記す。
【００１４】
図１は、印刷装置１及びインクカートリッジ１００を説明するための説明図である。
図１に示すように、印刷装置１は、制御部１０と、記憶部２０と、通信モジュール３０と、表示部４０と、インターフェース部５０と、入力部６０と、印刷部７０とを備える。
【００１５】
制御部１０は、例えば、印刷装置１全体の動作を制御する演算処理装置として機能するプロセッサ（例えばＣＰＵ： Central Processing Unit）を有する。このプロセッサは、例えば、記憶部２０から、或いは印刷装置１に対して着脱可能な記憶媒体から、所定のプログラムを読み出して実行することにより、認証部１１及び表示制御部１２として機能する。ここで、プロセッサが実行するプログラムは、インクカートリッジ１００が有する記憶手段の一例である非接触ＩＣ１２０（メモリ１２１）に記憶されたインクカートリッジ１００の属性情報に基づきインクカートリッジ１００が印刷装置１に適合するかの認証を行う機能と、インクカートリッジ１００が印刷装置１に適合しないと認証された場合に、非接触ＩＣ１２０が記憶するインクカートリッジ１００の属性情報の少なくとも一部を削除させる機能と、インクカートリッジ１００が印刷装置１に適合しないと認証された場合に、ユーザによる印刷装置１の設定値の入力を受け付けさせる機能とをコンピュータ（例えば、印刷装置１の制御部１０）に実行させるプログラムを含む。また、このプログラムは、非接触ＩＣ１２０の種類の認証を行う機能をコンピュータに更に実行させるとよい。
【００１６】
認証部１１は、インクカートリッジ１００の認証を行う。例えば、認証部１１は、インクカートリッジ１００が印刷装置１に適合するかの認証、及び非接触ＩＣ１２０（メモリ１２１）の種類の認証を行う。
【００１７】
また、認証部１１は、インクカートリッジ１００Ｋ（非接触ＩＣ１２０のメモリ１２１）に記憶されたＩＤ（消耗品記憶情報の一例）に基づいて、記憶部２０に記憶された第１アルゴリズムを用いて第１パスワード（第１の照合情報の一例）を生成し、この第１パスワードと、ＩＤに基づいて生成されインクカートリッジ１００Ｋのメモリ１２１に記憶されている第２パスワード（第２の照合情報の一例）とを照合してもよい。
【００１８】
インクカートリッジ１００が印刷装置１に適合するかの認証に関して、認証部１１は、後述する無線通信部３１Ｋ，３１Ｃ，３１Ｍ，３１Ｙによってインクカートリッジ１００の記憶手段の一例である非接触ＩＣ１２０（メモリ１２１）から読み出されたインクカートリッジ１００（インク）の属性情報（例えば、インク溶媒種類情報、濃度情報、製造年月日情報、印刷装置１の設定情報など）に基づいて、インクカートリッジ１００が印刷装置１に適合するかの認証を行う。認証部１１は、インクカートリッジ１００が印刷装置１に適合すると認証した場合、メモリ１２１に記憶された印刷装置１の設定情報、又は記憶部２０に記憶された、インクカートリッジ１００Ｋの属性情報に対応する設定情報に基づき、印刷装置１の設定（例えば、インク吐出制御など）を行うとよい。
【００１９】
非接触ＩＣ１２０の種類の認証に関して、認証部１１は、例えば、非接触ＩＣ１２０（メモリ１２１）のＩＤやメモリ１２１の記憶容量などに基づいて、或いは、通信モジュール３０が非接触ＩＣ１２０に送ったコマンド（例えば、印刷装置１に対応する種類の非接触ＩＣ１２０が有するはずのパスワード設定機能などの機能に関するコマンド）のリプライの状況などに基づいて、メモリ１２１（非接触ＩＣ１２０）の型式などの非接触ＩＣ１２０の種類（機能）の認証を行う。
【００２０】
表示制御部１２は、表示部４０の表示制御を行う。例えば、表示制御部１２は、認証部１１によってメモリ１２１の種類が印刷装置１に対応しないと判定された場合に異常を表す表示を表示部４０に行わせるとよい。
【００２１】
記憶部２０は、例えばメモリであり、印刷装置１が使用される地域を示す仕向け情報、第１パスワードを生成するためのプログラムである第１アルゴリズムなどを記憶している。
【００２２】
通信モジュール３０は、４つの無線通信部３１Ｋ，３１Ｃ，３１Ｍ，３１Ｙを有する。無線通信部３１Ｋ，３１Ｃ，３１Ｍ，３１Ｙのそれぞれは、印刷装置１に装着された状態のインクカートリッジ１００Ｋ，１００Ｃ，１００Ｍ，１００Ｙの非接触ＩＣ１２０に対向するように配置されている。なお、無線通信部３１Ｋ，３１Ｃ，３１Ｍ，３１Ｙのそれぞれは、同一の構成を有する。そのため、無線通信部３１Ｋを例に説明する。また、無線通信部３１Ｋ，３１Ｃ，３１Ｍ，３１Ｙは、適宜、無線通信部３１と記す。
【００２３】
無線通信部３１Ｋは、インクカートリッジ１００Ｋに付された非接触ＩＣ１２０に対向して配置され、この非接触ＩＣ１２０との間で無線通信を確立し、非接触ＩＣ１２０のメモリ１２１から種々の情報を読み込むとともに、メモリ１２１に情報を書き込む。無線通信部３１Ｋは、読み込んだ情報を印刷装置１の制御部１０に供給する。このように、無線通信部３１Ｋは、インクカートリッジ１００が有する非接触ＩＣ１２０（メモリ１２１）の情報を読み書きする。なお、無線通信部３１Ｋと非接触ＩＣ１２０との間で無線通信を行う際、送信側は乱数を付加して送信し、受信側は付加された乱数を削除することにより情報を取り出す。これにより、通信する情報の傍受を防止することができる。なお、例えば、非接触ＩＣ１２０は、ＲＦＩＤタグとして機能し、通信モジュール３０は、ＲＦＩＤリーダライタとして機能する。
【００２４】
表示部４０は、上述のように表示制御部１２によって表示内容を制御されるディスプレイである。なお、表示部４０上には、入力部６０として機能するタッチパネルが配置されているとよい。
【００２５】
インターフェース部５０は、ユーザ端末などの他の装置との間で各種情報の授受を行う。
【００２６】
入力部６０は、例えば、上述のタッチパネルや、テンキーなどの入力ボタンを有し、ユーザによる各種の操作情報の入力を受け付ける。例えば、入力部６０は、ユーザによる印刷装置１の設定値の入力を受け付ける。
【００２７】
印刷部７０の印刷方式は、例えば、インクジェット印刷方式、孔版印刷方式、電子写真方式などであるが、特に制限されない。
【００２８】
インクカートリッジ１００Ｋは、インクボトル１１０と、上述の非接触ＩＣ１２０とを有する。
【００２９】
図２は、インクカートリッジ１００Ｋを示す斜視図である。
図２に示すように、インクカートリッジ１００Ｋは、例えば直方体形状を呈し、インクジェット印刷装置である印刷装置１に着脱可能に装着される。また、消耗品としては、例えば円筒形状を呈し、孔版印刷装置に着脱可能に装着されるインクカートリッジなどであってもよい。なお、消耗品は、印刷装置１に着脱可能に装着されるものであればよく、例えば、孔版原紙、トナーカートリッジ、感光体ドラムなどであってもよい。
【００３０】
図１に示すように、非接触ＩＣ１２０は、メモリ１２１と処理部１２２とを有する。
メモリ１２１は、インクカートリッジ１００Ｋを一意に特定するＩＤ、インクカートリッジ１００（例えば、インクボトル１１０に貯留されたインク）の属性情報、インク残量情報、インク色情報、ＩＤに基づいて生成された第２パスワードなどが記憶されている。属性情報には、インク溶媒種類情報、濃度情報、製造年月日情報、印刷装置１の設定情報などが含まれるとよい。なお、メモリ１２１には、インクカートリッジ１００Ｋが使用される地域を示す仕向け情報などの他の情報が記憶されていてもよい。
【００３１】
処理部１２２は、演算処理装置として機能するプロセッサ（例えばＣＰＵ）を有する。処理部１２２は、メモリ１２１に記憶された情報の読み書きを行う。例えば、処理部１２２は、非接触ＩＣ１２０（メモリ１２１）が記憶する属性情報の少なくとも一部が印刷装置１（無線通信部３１Ｋ）によって削除された場合に、属性情報の少なくとも一部の削除に関する情報、例えば、削除内容、削除された日時、削除した印刷装置１のＩＤなどの情報をメモリ１２１に書き込んでもよい。処理部１２２は、印刷装置１におけるインクの吐出量の情報を取得し、この吐出量に基づいてインクカートリッジ１００のインクボトル１１０内のインク残量を算出し、インク残量情報として、メモリ１２１に記憶させる。或いは、印刷装置１の制御部１０は、通信モジュール３０を介してメモリ１２１から取得したインクボトル１１０内のインクの残量情報からインクの吐出量を引いた量を実際の残量としてメモリ１２１に任意のタイミングで書き込むように通信モジュール３０を制御する。なお、メモリ１２１には、残量情報のほか、どのような印刷装置１でインクカートリッジ１００Ｋが使用されたかを表す情報（例えば、印刷装置１のＩＤ、機種名など）が書き込まれてもよい。
【００３２】
図３は、認証処理を説明するためのフローチャートである。
図３に示す各処理は、例えば、制御部１０（認証部１１及び表示制御部１２）が記憶部２０から所定のプログラムを読み出して実行することによって行われる。上述のとおり、消耗品として、インクカートリッジ１００Ｋを例に説明するが、制御部１０は、印刷装置１に装着される例えば４つのインクカートリッジ１００のそれぞれについて、図３に示す各処理を行う。
【００３３】
まず、制御部１０は、インクカートリッジ１００Ｋが印刷装置１に装着されているかの判定を、例えば、センサの検出結果、電源ＯＮ、省電力モードからの復帰などに基づいて、インクカートリッジ１００Ｋが印刷装置１に装着されるまで行う（ステップＳ１）。
【００３４】
制御部１０は、インクカートリッジ１００Ｋが印刷装置１に装着されていると判定すると（ステップＳ１：ＹＥＳ）、インクカートリッジ１００Ｋの非接触ＩＣ１２０のメモリ１２１から、インクカートリッジ１００ＫのＩＤ、属性情報、インク色情報などを読み出す（ステップＳ２）。なお、制御部１０は、非接触ＩＣ１２０の種類の認証のために、上述のように非接触ＩＣ１２０にコマンドを送るように通信モジュール３０を制御してもよい。
【００３５】
ここで、認証部１１が、メモリ１２１に記憶されたインク色情報に基づいて、ブラックのインクカートリッジ１００Ｋではなく他の色のインクカートリッジ１００Ｃ，１００Ｍ，１００Ｙが印刷装置１に装着されていることを判別した場合、他の色のインクカートリッジ１００Ｃ，１００Ｍ，１００Ｙが印刷装置１に装着されていることをユーザへ報知する表示を表示制御部１２が表示部４０に行わせるとよい。
【００３６】
認証部１１は、メモリ１２１に記憶された属性情報（例えば、インク溶媒種類情報、印刷装置１の設定情報など）に基づきインクカートリッジ１００Ｋが印刷装置１に適合するかを判定する（ステップＳ３）。
【００３７】
認証部１１は、インクカートリッジ１００Ｋが印刷装置１に適合すると判定すると（ステップＳ３：ＹＥＳ）、ＲＦＩＤタグとしての非接触ＩＣ１２０の上述の種類が印刷装置１に対応する（種類ＯＫ）か否かを判定する（ステップＳ４）。
【００３８】
制御部１０は、認証部１１によって非接触ＩＣ１２０の種類が印刷装置１に対応すると判定されると（ステップＳ４：ＹＥＳ）、メモリ１２１に記憶された印刷装置１の設定情報に基づき、印刷装置１の設定（例えば、インク吐出制御など）を行い（ステップＳ５）、図３に示す処理を終了する。なお、制御部１０は、メモリ１２１に記憶されたインクカートリッジ１００Ｋの属性情報に基づいて、記憶部２０に記憶された、インクカートリッジ１００Ｋの属性情報に対応する印刷装置１の設定情報に従い、印刷装置１の設定を行ってもよい。
【００３９】
また、制御部１０は、上述のステップＳ３において、認証部１１によってインクカートリッジ１００Ｋの属性情報に基づきインクカートリッジ１００Ｋが印刷装置１に適合しないと判定されると（ステップＳ３：ＮＯ）、無線通信部３１Ｋに、メモリ１２１が記憶する属性情報の少なくとも一部を削除させる（ステップＳ６）。これにより、メモリ１２１は、削除されなかった属性情報を記憶することになる。
【００４０】
また、制御部１０は、印刷装置１の設定情報（設定値）をユーザに手動入力させるように表示制御部１２による表示部４０の表示制御を行い、入力部６０においてユーザの入力を受け付け（ステップＳ７）、図３に示す処理を終了する。なお、ユーザによって入力される印刷装置１の設定情報は、インクカートリッジ１００Ｋの属性情報（例えば、インク溶媒種類情報、濃度情報、製造年月日情報など）であってもよく、その場合、上述のように、制御部１０は、記憶部２０に記憶された、インクカートリッジ１００Ｋの属性情報に対応する印刷装置１の設定情報に基づき、印刷装置１の設定を行うとよい。
【００４１】
また、制御部１０は、上述のステップＳ４において、認証部１１によって非接触ＩＣ１２０の種類が印刷装置１に対応しないと判定されると（ステップＳ４：ＮＯ）、異常を表す表示（異常表示）を表示部４０に行わせ（ステップＳ８）、図３に示す処理を終了する。
【００４２】
なお、図３に示す例では、認証部１１が、属性情報に基づくインクカートリッジ１００Ｋが印刷装置１に適合するかの認証（ステップＳ３）、非接触ＩＣ１２０（メモリ１２１）の種類の認証（ステップＳ４）の順に認証を行うが、各認証の順番が入れ替わってもよい。
【００４３】
以上説明した本実施の形態では、印刷装置１は、消耗品の一例であるインクカートリッジ１００が着脱可能に装着される印刷装置１であって、インクカートリッジ１００が有する記憶手段の一例である非接触ＩＣ１２０（メモリ１２１）の情報を読み書きする無線通信部３１と、この無線通信部３１によって非接触ＩＣ１２０から読み出されたインクカートリッジ１００の属性情報に基づきインクカートリッジ１００が印刷装置１に適合するかの認証を行う認証部１１と、ユーザによる印刷装置１の設定値の入力を受け付ける入力部６０とを備える。無線通信部３１は、認証部１１によってインクカートリッジ１００が印刷装置１に適合しないと認証された場合に、非接触ＩＣ１２０が記憶する属性情報の少なくとも一部を削除し、入力部６０は、認証部１１によってインクカートリッジ１００が印刷装置１に適合しないと認証された場合に、ユーザによる印刷装置１の設定値の入力を受け付ける。また、インクカートリッジ１００は、このインクカートリッジ１００が印刷装置１に適合するかの認証を行うためのインクカートリッジ１００の属性情報を記憶する記憶手段の一例である非接触ＩＣ１２０を備える。この非接触ＩＣ１２０は、印刷装置１に適合しないと認証された場合に非接触ＩＣ１２０が記憶する属性情報の少なくとも一部を印刷装置１によって削除され、印刷装置１によって削除されなかった属性情報を記憶する。
【００４４】
このように、認証部１１によってインクカートリッジ１００が印刷装置１に適合しないと認証された場合に、非接触ＩＣ１２０が記憶する属性情報の少なくとも一部を無線通信部３１が削除し、ユーザが手動で印刷装置１の設定変更を行う。これにより、その後、例えば、印刷装置の電源がＯＮになったときや、省電力モードから復帰したときに、非接触ＩＣ１２０の情報の読み出し及び認証が行われても、非接触ＩＣ１２０に記憶された属性情報に基づきインクカートリッジ１００が印刷装置１に適合するかの認証を省略することができる。よって、本実施の形態によれば、インクカートリッジ１００（消耗品）の認証制御を簡略化することができる。
【００４５】
また、本実施の形態では、認証部１１は、非接触ＩＣ１２０の種類の認証を行う。そのため、非接触ＩＣ１２０の種類の認証を行うことによって、非接触ＩＣ１２０が有すべき機能がないことを判別することができる。したがって、インクカートリッジ１００の認証精度を高めることができる。これにより、例えば、通信モジュール３０と非接触ＩＣ１２０との間の残量情報などの通信を安定して行うことができ、ひいては、ユーザが印刷装置１を安定して使用できる。
【００４６】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００４７】
［付記１］
消耗品が着脱可能に装着される印刷装置であって、
前記消耗品が有する記憶手段の情報を読み書きする無線通信部と、
前記無線通信部によって前記記憶手段から読み出された前記消耗品の属性情報に基づき前記消耗品が前記印刷装置に適合するかの認証を行う認証部と、
ユーザによる前記印刷装置の設定値の入力を受け付ける入力部とを備え、
前記無線通信部は、前記認証部によって前記消耗品が前記印刷装置に適合しないと認証された場合に、前記記憶手段が記憶する前記属性情報の少なくとも一部を削除し、
前記入力部は、前記認証部によって前記消耗品が前記印刷装置に適合しないと認証された場合に、ユーザによる前記印刷装置の設定値の入力を受け付ける
ことを特徴とする印刷装置。
【００４８】
［付記２］
前記認証部は、前記記憶手段の種類の認証を行う
ことを特徴とする付記１記載の印刷装置。
【００４９】
［付記３］
印刷装置に着脱可能な消耗品であって、
前記印刷装置は、
前記消耗品が有する記憶手段の情報を読み書きする無線通信部と、
前記無線通信部によって前記記憶手段から読み出された前記消耗品の属性情報に基づき前記消耗品が前記印刷装置に適合するかの認証を行う認証部と、
ユーザによる前記印刷装置の設定値の入力を受け付ける入力部とを備え、
前記無線通信部は、前記認証部によって前記消耗品が前記印刷装置に適合しないと認証された場合に、前記記憶手段が記憶する前記属性情報の少なくとも一部を削除し、
前記入力部は、前記認証部によって前記消耗品が前記印刷装置に適合しないと認証された場合に、ユーザによる前記印刷装置の設定値の入力を受け付け、
前記消耗品は
前記消耗品が前記印刷装置に適合するかの認証を行うための前記消耗品の属性情報を記憶する記憶手段を備え、
前記記憶手段は、前記印刷装置に適合しないと認証された場合に当該記憶手段が記憶する前記属性情報の少なくとも一部を前記印刷装置によって削除され、前記印刷装置によって削除されなかった前記属性情報を記憶する
ことを特徴とする消耗品。
【符号の説明】
【００５０】
１  印刷装置
１０  制御部
１１  認証部
１２  表示制御部
２０  記憶部
３０  通信モジュール
３１（３１Ｋ，３１Ｃ，３１Ｍ，３１Ｙ）  無線通信部
４０  表示部
５０  インターフェース部
６０  入力部
７０  印刷部
１００（１００Ｋ，１００Ｃ，１００Ｍ，１００Ｙ）  インクカートリッジ
１１０  インクボトル
１２０  非接触ＩＣ
１２１  メモリ
１２２  処理部
【図１】
2020179539.tif 000003
【図２】
2020179539.tif 000004
【図３】
2020179539.tif 000005